(57)【要約】【課題】ランフラット走行での耐久性の向上を図りながら、軽量化及び転がり抵抗の低減が考慮された空気入りタイヤの提供。【解決手段】このタイヤ２では、エイペックス３８の長さは２０ｍｍ以下である。緩衝層２４は、カーカス１２とクリンチ８との間に位置する。緩衝層２４の外側端４８は、最大幅位置ＰＷよりも半径方向内側に位置する。半径方向において、緩衝層２４の内側端５０の位置はコア３６の外側端５２の位置と一致する、又は、この緩衝層２４の内側端５０はこのコア３６の外側端５２よりも外側に位置する。緩衝層５０は、タイヤ２とリムＲとの接触部分を覆うように配置される。緩衝層２４の損失正接Ｔｋは、クリンチ８の損失正接Ｔｃ及びエイペックス３８の損失正接Ｔａと同等以下である。緩衝層２４の硬さＨｋは、エイペックス３８の硬さＨａと同等以上である。【選択図】図２
2018130977.tif 000002
【特許請求の範囲】
【請求項１】
トレッド、一対のサイドウォール、一対のクリンチ、一対のビード、カーカス、一対の支持層及び一対の緩衝層を備えており、
それぞれのサイドウォールが上記トレッドの端から半径方向略内向きに延びており、
それぞれのクリンチが上記サイドウォールの端から半径方向略内向きに延びており、
それぞれのビードが上記クリンチよりも軸方向内側に位置しており、
上記カーカスが上記トレッド及び上記サイドウォールの内側に沿って一方のビードと他方のビードとの間に架け渡されており、
それぞれの支持層が上記サイドウォールよりも軸方向内側に位置しており、
それぞれの緩衝層が上記カーカスと上記クリンチとの間に位置しており、
上記ビードがコアとエイペックスとを備えており、このエイペックスがこのコアから半径方向略外向きに延びており、このエイペックスの長さが２０ｍｍ以下であり、
上記緩衝層の外側端がこのタイヤの最大幅位置よりも半径方向内側に位置しており、
半径方向において、上記緩衝層の内側端の位置が上記コアの外側端の位置と一致している、又は、この緩衝層の内側端がこのコアの外側端よりも外側に位置しており、
ビードベースラインから上記クリンチの外側端までの半径方向距離に対するこのビードベースラインから上記緩衝層の外側端までの半径方向距離の比率が８５％以上１０５％以下であり、
このタイヤの外面において、ビードベースラインからの半径方向高さが１４ｍｍとなる位置を第一地点Ｐ１とし、このビードベースラインからの半径方向高さが２０ｍｍとなる位置を第二地点Ｐ２としたとき、半径方向において、上記緩衝層が上記第一地点Ｐ１及び第二地点Ｐ２のそれぞれと重複しており、
上記緩衝層の損失正接が上記クリンチの損失正接及び上記エイペックスの損失正接と同等以下であり、
上記緩衝層の硬さが上記エイペックスの硬さと同等以上である、空気入りタイヤ。
【請求項２】
上記緩衝層の損失正接が上記支持層の損失正接と同等以下である、請求項１に記載の空気入りタイヤ。
【請求項３】
上記第二地点Ｐ２における、このタイヤの外面の法線を基準法線としたとき、この基準法線に沿って計測される上記緩衝層及び上記クリンチのそれぞれの厚さが１ｍｍ以上である、請求項１又は２に記載の空気入りタイヤ。
【請求項４】
上記基準法線に沿って計測される上記緩衝層の厚さと上記クリンチの厚さとの合計厚さの、この基準法線に沿って計測される上記支持層の厚さに対する比率が、８０％以上１２０％以下である、請求項３に記載の空気入りタイヤ。
【発明の詳細な説明】
【技術分野】
【０００１】
本発明は、空気入りタイヤに関する。詳細には、本発明は、詳細には、本発明は、サイド補強タイプのランフラットタイヤに関する。
【背景技術】
【０００２】
近年、サイドウォールの内側に支持層を備えたランフラットタイヤが開発され、普及しつつある。この支持層には、高硬度な架橋ゴムが用いられている。このランフラットタイヤは、サイド補強タイプと称されている。
【０００３】
このタイプのランフラットタイヤでは、パンクによって内圧が低下すると、支持層が車重を支える。ランフラットタイヤでは、パンク状態でも、ある程度の距離の走行が可能である。ランフラットタイヤに関しては、様々な検討が行われている。この検討の一例が、特開２０１５−０６７２５６公報に開示されている。
【先行技術文献】
【特許文献】
【０００４】
【特許文献１】特開２０１５−０６７２５６公報
【発明の概要】
【発明が解決しようとする課題】
【０００５】
走行状態にあるタイヤには、周期的に荷重が付与される。これにより、変形と復元とが繰り返される。ランフラットタイヤでは、ビードの部分の変形の程度が大きく、パンク状態での走行（以下、ランフラット走行とも称される。）において、サイドウォールの部分でなく、このビードの部分に損傷が生じることがある。
【０００６】
大きな幅を有するエイペックスは、ビードの部分の剛性に寄与する。このエイペックスを採用すれば、ビードの部分の変形が抑えられる。変形の抑制は、損傷防止に寄与する。エイペックスは、コアに積層される。このため、エイペックスの幅はコアの幅の制約を受ける。エイペックスの幅の調整では、剛性を十分にコントロールできない恐れがある。
【０００７】
長いエイペックスも、ビードの部分の剛性に寄与する。エイペックスは通常、先細りな形状を呈している。このため、エイペックスの先端部分による剛性への寄与は意外に小さい。長いエイペックスでは、ビードの部分の変形を十分に抑えることができない恐れがある。
【０００８】
タイヤにおいて、リムと当接する部分には応力が集中する傾向にある。ランフラット走行において、タイヤでは、変形と復元とが繰り返される。この部分は、熱を帯びやすい。発熱は、耐久性を損なう恐れがある。
【０００９】
ランフラットタイヤでは、高硬度な架橋ゴムが支持層に用いられる。このため、この支持層を有していないタイヤに比べて、このタイヤは重い。大きな質量は、転がり抵抗に影響する。
【００１０】
本発明の目的は、ランフラット走行での耐久性の向上を図りながら、軽量化及び転がり抵抗の低減が考慮された空気入りタイヤの提供にある。
【課題を解決するための手段】
【００１１】
本発明に係る空気入りタイヤは、トレッド、一対のサイドウォール、一対のクリンチ、一対のビード、カーカス、一対の支持層及び一対の緩衝層を備えている。それぞれのサイドウォールは、上記トレッドの端から半径方向略内向きに延びている。それぞれのクリンチは、上記サイドウォールの端から半径方向略内向きに延びている。それぞれのビードは、上記クリンチよりも軸方向内側に位置している。上記カーカスは、上記トレッド及び上記サイドウォールの内側に沿って一方のビードと他方のビードとの間に架け渡されている。それぞれの支持層は、上記サイドウォールよりも軸方向内側に位置している。それぞれの緩衝層は、上記カーカスと上記クリンチとの間に位置している。上記ビードはコアとエイペックスとを備えており、このエイペックスはこのコアから半径方向略外向きに延びており、このエイペックスの長さは２０ｍｍ以下である。上記緩衝層の外側端は、このタイヤの最大幅位置よりも半径方向内側に位置している。半径方向において、上記緩衝層の内側端の位置は上記コアの外側端の位置と一致している、又は、この緩衝層の内側端はこのコアの外側端よりも外側に位置している。ビードベースラインから上記クリンチの外側端までの半径方向距離に対するこのビードベースラインから上記緩衝層の外側端までの半径方向距離の比率は、８５％以上１０５％以下である。このタイヤの外面において、ビードベースラインからの半径方向高さが１４ｍｍとなる位置を第一地点Ｐ１とし、このビードベースラインからの半径方向高さが２０ｍｍとなる位置を第二地点Ｐ２としたとき、半径方向において、上記緩衝層は上記第一地点Ｐ１及び第二地点Ｐ２のそれぞれと重複している。上記緩衝層の損失正接は、上記クリンチの損失正接及び上記エイペックスの損失正接と同等以下である。上記緩衝層の硬さは、上記エイペックスの硬さと同等以上である。
【００１２】
好ましくは、この空気入りタイヤでは、上記緩衝層の損失正接は上記支持層の損失正接と同等以下である。
【００１３】
好ましくは、この空気入りタイヤでは、上記第二地点Ｐ２における、このタイヤの外面の法線を基準法線としたとき、この基準法線に沿って計測される上記緩衝層及び上記クリンチのそれぞれの厚さは１ｍｍ以上である。
【００１４】
好ましくは、この空気入りタイヤでは、上記基準法線に沿って計測される上記緩衝層の厚さと上記クリンチの厚さとの合計厚さの、この基準法線に沿って計測される上記支持層の厚さに対する比率は、８０％以上１２０％以下である。
【発明の効果】
【００１５】
本発明に係る空気入りタイヤでは、小さなエイペックスが採用されている。このタイヤでは、パンク状態において歪みが集中する領域から外れて、エイペックスは配置される。このタイヤでは、エイペックスの変形が効果的に抑えられる。
【００１６】
このタイヤでは、カーカスとクリンチとの間には緩衝層が設けられている。この緩衝層は、発熱しにくい上に、硬質である。
【００１７】
このタイヤでは、緩衝層は、歪みが集中する領域を考慮し、適切な位置に適切な大きさで配置されている。硬質な緩衝層は、通常走行時はもちろんのこと、パンクによって内圧が低下した状態においても、ビードの部分の変形を抑える。このタイヤでは、ビードの部分の変形による発熱が効果的に抑えられる。特に、リムとの接触面とカーカスとの間における発熱が抑えられる。しかもこのタイヤでは、緩衝層自体が発熱しにくいので、このビードの部分において、発熱がかなり効果的に抑えられる。この緩衝層はさらに、ビードの部分におけるカーカスを、この緩衝層がない従来タイヤのそれよりも軸方向内側に配置させる。このカーカスには、歪みが集中しにくい。このタイヤでは、ビードの部分での損傷発生が効果的に抑えられている。
【００１８】
このタイヤでは、小さなエイペックスを採用するとともに、硬質でしかも発熱しにくい緩衝層を適切な位置に適切な大きさで配置させることで、パンクによって内圧が低下した状態での走行、すなわち、ランフラット走行において、ビードの部分に損傷が生じることが効果的に抑えられている。このタイヤでは、パンクによって内圧が低下した状態でも十分な走行距離が確保される。このタイヤは、ランフラット走行での耐久性に優れる。
【００１９】
このタイヤでは、エイペックス及び緩衝層の相乗的な作用により、ビードの部分での損傷発生が抑えられるので、支持層のボリュームの低減が可能である。この支持層のボリュームの低減は、タイヤの軽量化及び転がり抵抗の低減に寄与する。このタイヤでは、ランフラット走行での耐久性の向上を図りながら、軽量化及び転がり抵抗の低減が達成できる。本発明によれば、ランフラット走行での耐久性の向上を図りながら、軽量化及び転がり抵抗の低減が考慮された空気入りタイヤが得られる。
【図面の簡単な説明】
【００２０】
【図１】図１は、本発明の一実施形態に係る空気入りタイヤの一部が示された断面図である。
【図２】図２は、図１のタイヤの一部が示された拡大断面図である。
【発明を実施するための形態】
【００２１】
以下、適宜図面が参照されつつ、好ましい実施形態に基づいて本発明が詳細に説明される。
【００２２】
図１には、空気入りタイヤ２が示されている。図１において、上下方向がタイヤ２の半径方向であり、左右方向がタイヤ２の軸方向であり、紙面との垂直方向がタイヤ２の周方向である。図１において、一点鎖線ＣＬはタイヤ２の赤道面を表わす。このタイヤ２の形状は、トレッドパターンを除き、赤道面に対して対称である。この図１には、タイヤ２の回転軸を含む平面に沿った、このタイヤ２の断面が示されている。
【００２３】
図１において、タイヤ２はリムＲに組み込まれている。このリムＲは、正規リムである。このタイヤ２には、空気が充填されている。これにより、このタイヤ２の内圧は正規内圧に調整されている。
【００２４】
タイヤ２の各部材の寸法及び角度は、特に言及のない限り、タイヤ２が正規リムに組み込まれ、正規内圧となるようにタイヤ２に空気が充填された状態で測定される。測定時には、タイヤ２には荷重がかけられない。タイヤ２が乗用車用である場合は、特に言及のない限り、内圧が１８０ｋＰａの状態で、寸法及び角度が測定される。
【００２５】
本明細書において正規リムとは、タイヤ２が依拠する規格において定められたリムを意味する。ＪＡＴＭＡ規格における「標準リム」、ＴＲＡ規格における「Design Rim」、及びＥＴＲＴＯ規格における「Measuring Rim」は、正規リムである。
【００２６】
本明細書において正規内圧とは、タイヤ２が依拠する規格において定められた内圧を意味する。ＪＡＴＭＡ規格における「最高空気圧」、ＴＲＡ規格における「TIRE LOAD LIMITS AT VARIOUS COLD INFLATION PRESSURES」に掲載された「最大値」、及びＥＴＲＴＯ規格における「INFLATION PRESSURE」は、正規内圧である。
【００２７】
本明細書において正規荷重とは、タイヤ２が依拠する規格において定められた荷重を意味する。ＪＡＴＭＡ規格における「最高負荷能力」、ＴＲＡ規格における「TIRE LOAD LIMITS AT VARIOUS COLD INFLATION PRESSURES」に掲載された「最大値」、及びＥＴＲＴＯ規格における「LOAD CAPACITY」は、正規荷重である。
【００２８】
図１において、実線ＢＢＬはビードベースラインである。このビードベースラインは、タイヤ２が装着されるリムＲのリム径（ＪＡＴＭＡ規格等参照）を規定する線である。このビードベースラインは、軸方向に延びる。
【００２９】
図１において、符号ＰＥはタイヤ２の外面と赤道面との交点である。この交点ＰＥは、赤道とも称される。この交点ＰＥは、このタイヤ２の半径方向外側端でもある。両矢印Ｈは、ビードベースラインからこの赤道ＰＥまでの半径方向距離である。ＪＡＴＭＡ規格において、この距離Ｈは「断面高さ」とも称されている。
【００３０】
図１において、符号ＰＷはタイヤ２の外面上の特定の位置である。このタイヤ２は、この位置ＰＷにおいて最大の軸方向幅を示す。この位置ＰＷは、このタイヤ２の最大幅位置である。この最大の軸方向幅は、ＪＡＴＭＡ規格においては、「断面幅」とも称されている。なお、このタイヤ２の外面に、溝、ディンプル等の凹凸が設けられている場合には、この凹凸がないと仮定して得られる仮想外面、すなわち、プロファイルに基づいて、前述の位置ＰＷは決められる。本発明においては、タイヤ２をリムＲに組み込み、正規内圧となるようにこのタイヤ２に空気を充填し、このタイヤ２に荷重がかけられない状態での、このタイヤ２の外面が、プロファイルのベースとされる。
【００３１】
図１において、両矢印ＨＷＸはビードベースラインから最大幅位置ＰＷまでの半径方向距離である。このタイヤでは、断面高さＨに対する距離ＨＷＸの比は０．３から０．６までの範囲で設定される。言い換えれば、このタイヤでは、この比は０．３以上０．６以下である。
【００３２】
このタイヤ２は、トレッド４、一対のサイドウォール６、一対のクリンチ８、一対のビード１０、カーカス１２、一対の支持層１４、ベルト１６、バンド１８、インナーライナー２０、一対のチェーファー２２及び一対の緩衝層２４を備えている。タイヤ２は、多数のパーツで構成されている。このタイヤ２は、チューブレスタイプである。このタイヤ２は、乗用車に装着される。
【００３３】
トレッド４は、半径方向外向きに凸な形状を呈している。トレッド４は、路面と接地するトレッド面２６を形成する。トレッド４には、溝２８が刻まれている。この溝２８により、トレッドパターンが形成されている。トレッド４は、ベース層３０とキャップ層３２とを有している。キャップ層３２は、ベース層３０に積層されている。ベース層３０は、接着性に優れた架橋ゴムからなる。キャップ層３２は、耐摩耗性、耐熱性及びグリップ性に優れた架橋ゴムからなる。
【００３４】
それぞれのサイドウォール６は、トレッド４の端から半径方向略内向きに延びている。このサイドウォール６の半径方向外側部分は、トレッド４と接合されている。このサイドウォール６の半径方向内側部分は、クリンチ８と接合されている。このサイドウォール６は、耐カット性及び耐候性に優れた架橋ゴムからなる。
【００３５】
それぞれのクリンチ８は、サイドウォール６の端から半径方向略内向きに延びている。クリンチ８は、軸方向において、ビード１０及びカーカス１２よりも外側に位置している。図１に示されているように、クリンチ８は、軸方向において緩衝層２４よりも外側に位置している。クリンチ８は、耐摩耗性に優れた架橋ゴムからなる。クリンチ８は、リムＲと当接する。
【００３６】
このタイヤ２では、クリンチ８の硬さＨｃは６０以上９０以下が好ましい。この硬さＨｃが６０以上に設定されることにより、クリンチ８が剛性に寄与する。このタイヤ２では、ビード１０の部分の変形が抑えられる。この観点から、この硬さＨｃは６５以上がより好ましい。この硬さＨｃが９０以下に設定されることにより、クリンチ８による剛性への影響が抑えられる。このタイヤ２は、乗り心地に優れる。この観点から、この硬さＨｃは８５以下がより好ましい。
【００３７】
本発明において、タイヤ２を構成する各パーツの硬さは、「ＪＩＳ  Ｋ６２５３」の規定に準じ、タイプＡのデュロメータによって測定される。図１に示された断面にこのデュロメータが押し付けられ、硬さが測定される。測定は、７０℃の温度下でなされる。本発明においては、７０℃の温度下で測定された硬さが「硬さ」として表されている。
【００３８】
このタイヤ２では、クリンチ８の損失正接（ｔａｎδ）Ｔｃは０．０８以下が好ましい。これにより、タイヤ２が繰り返し変形することによる、クリンチ８の発熱が抑えられる。このクリンチ８は、タイヤ２の耐久性に寄与する。この観点から、この損失正接Ｔｃは０．０７以下がより好ましく、０．０６以下がより好ましい。損失正接Ｔｃは小さいほど好ましいので、この損失正接Ｔｃの好ましい下限は設定されない。
【００３９】
本発明において、タイヤ２を構成する各パーツの損失正接（ｔａｎδ）は、「ＪＩＳ  Ｋ  ６３９４」の規定に準拠して測定される。測定条件は、以下の通りである。損失正接の測定温度は、７０℃である。本発明においては、７０℃の温度下で測定された損失正接が「損失正接」として表されている。
粘弾性スペクトロメーター：岩本製作所の「ＶＥＳＦ−３」
初期歪み：１０％
動歪み：±１％
周波数：１０Ｈｚ
変形モード：引張
測定温度：７０℃
【００４０】
図１において両矢印ＨＣはビードベースラインからクリンチ８の半径方向外側端３４までの半径方向距離である。
【００４１】
このタイヤ２では、クリンチ８の外側端３４は半径方向においてこのタイヤ２の最大幅位置ＰＷよりも内側に位置している。言い換えれば、距離ＨＷＸに対する距離ＨＣの比率は１００％未満である。このタイヤ２では、クリンチ８による乗り心地への影響が効果的に抑えられる。この観点から、この比率は９０％以下が好ましく、８５％以下がより好ましい。クリンチ８が剛性に効果的に寄与するとの観点から、この比率は５０％以上が好ましく、５５％以上がより好ましい。
【００４２】
それぞれのビード１０は、クリンチ８よりも軸方向内側に位置している。ビード１０は、コア３６と、エイペックス３８とを備えている。コア３６はリング状であり、巻回された非伸縮性ワイヤーを含む。ワイヤーの典型的な材質は、スチールである。エイペックス３８は、コア３６から半径方向略外向きに延びている。このエイペックス３８は、半径方向外向きに先細りである。このタイヤ２では、エイペックス３８は、半径方向において、コア３６の外側に位置している。ビード１０の半径方向内側部分において、エイペックス３８がコア３６を覆うように、このビード１０が構成されてもよい。
【００４３】
このタイヤ２では、エイペックス３８は高硬度な架橋ゴムからなる。このエイペックス３８は、ビード１０の部分の剛性に寄与する。
【００４４】
このタイヤ２では、エイペックス３８の硬さＨａは７０以上９５以下が好ましい。この硬さＨａが７０以上に設定されることにより、エイペックス３８が剛性に寄与する。このタイヤ２では、ビード１０の部分の変形が抑えられる。この観点から、この硬さＨａは７５以上がより好ましい。この硬さＨａが９５以下に設定されることにより、エイペックス３８による剛性への影響が抑えられる。このタイヤ２では、良好な乗り心地が維持される。この観点から、この硬さＨａは９０以下がより好ましい。このエイペックス３８の硬さＨａは、前述されたクリンチ８の硬さＨｃと同様にして測定される。
【００４５】
このタイヤ２では、エイペックス３８の損失正接Ｔａは０．０８以下が好ましい。これにより、タイヤ２が繰り返し変形することによる、エイペックス３８の発熱が抑えられる。このエイペックス３８は、タイヤ２の耐久性に寄与する。この観点から、この損失正接Ｔａは０．０７以下がより好ましく、０．０６以下がより好ましい。損失正接Ｔａは小さいほど好ましいので、この損失正接Ｔａの好ましい下限は設定されない。この損失正接Ｔａは、前述されたクリンチ８の損失正接Ｔｃと同様にして測定される。
【００４６】
図１において、符号ＰＡはエイペックス３８の半径方向外側端である。符号ＰＢは、エイペックス３８の底の軸方向中心である。両矢印ＬＡは、外側端ＰＡと中心ＰＢとを結ぶ線分の長さを表している。長さＬＡは、エイペックス３８の長さである。
【００４７】
このタイヤ２では、エイペックス３８の外側端ＰＡは半径方向においてクリンチ８の外側端３４よりも内側に位置している。特に、このタイヤ２では、エイペックス３８の長さＬＡは２０ｍｍ以下である。従来のタイヤでは、エイペックスは４０ｍｍから５０ｍｍの長さを有している。このエイペックス３８は、従来のエイペックスよりも小さい。過小なエイペックス３８では、ビード１０の部分の剛性が不足し、操縦安定性が損なわれる恐れがある。この観点から、この長さＬＡは５ｍｍ以上が好ましい。
【００４８】
カーカス１２は、第一カーカスプライ４０及び第二カーカスプライ４２を備えている。このカーカス１２は、２枚のカーカスプライからなる。このカーカス１２が１枚のカーカスプライから形成されてもよい。
【００４９】
このタイヤ２では、第一カーカスプライ４０（以下、第一プライ）及び第二カーカスプライ４２（以下、第二プライ）は、両側のビード１０の間に架け渡されており、トレッド４及びサイドウォール６に沿っている。第一プライ４０は、それぞれのコア３６の周りにて、軸方向内側から外側に向かって折り返されている。この折り返しにより、第一プライ４０には、主部４０ａと一対の折り返し部４０ｂとが形成されている。第二プライ４２は、それぞれのコア３６の周りにて、軸方向内側から外側に向かって折り返されている。この折り返しにより、第二プライ４２には、主部４２ａと一対の折り返し部４２ｂとが形成されている。
【００５０】
このタイヤ１２では、第一プライ４０の主部４０ａは第二プライ４２の主部４２ａの内側に位置している。第一プライ４０の折り返し部４０ｂは、第二プライ４２の折り返し部４２ｂの外側に位置している。第一プライ４０の折り返し部４０ｂの端は、半径方向において、第二プライ４２の折り返し部４２ｂの端よりも外側に位置している。この第一プライ４０の折り返し部４０ｂの端が、半径方向において、第二プライ４２の折り返し部４２ｂの端よりも内側に位置してもよい。
【００５１】
このタイヤ２では、第一プライ４０の折り返し部４０ｂの端は、半径方向において、このタイヤ２が最大幅を示す位置ＰＷの近く、詳細には、この位置ＰＷよりも外側に位置している。このカーカス１２は、「ハイターンアップ構造（ＨＴＵ）」を有している。このタイヤ２では、折り返し部４０ｂの端がベルト１６の端の直下にまで至る、換言すれば、この折り返し部４０ｂがベルト１６の端の部分とオーバーラップするように、このカーカス１２が構成されてもよい。このようなカーカス１２の構造は、「超ハイターンアップ構造（Ｕ−ＨＴＵ）」とも称される。
【００５２】
図示されていないが、それぞれのカーカスプライは並列された多数のコードとトッピングゴムとからなる。それぞれのコードが赤道面に対してなす角度の絶対値は、７５°から９０°である。換言すれば、このカーカス１２はラジアル構造を有する。コードは、有機繊維からなる。好ましい有機繊維として、ポリエステル繊維、ナイロン繊維、レーヨン繊維、ポリエチレンナフタレート繊維及びアラミド繊維が例示される。
【００５３】
それぞれの支持層１４は、サイドウォール６よりも軸方向内側に位置している。この支持層１４は、カーカス１２よりも軸方向内側に位置している。この支持層１４は、カーカス１２とインナーライナー２０とに挟まれている。支持層１４は、半径方向において、内向きに先細りであり外向きにも先細りである。この支持層１４は、三日月に類似の形状を有する。このタイヤ２では、支持層１４の半径方向外側端の部分はベルト１６の端の部分と重複している。この支持層１４の半径方向内側端の部分は、ビード１０のエイペックス３８の部分と重複している。
【００５４】
支持層１４は、架橋ゴムからなる。タイヤ２がパンクしたとき、この支持層１４が荷重を支える。この支持層１４により、パンク状態であっても、タイヤ２はある程度の距離を走行しうる。このタイヤ２は、ランフラットタイヤとも称されている。このタイヤ２は、サイド補強タイプである。
【００５５】
パンク状態での縦撓みの抑制の観点から、支持層１４の硬さＨｉは６０以上が好ましく、６５以上がより好ましい。内圧が維持された状態、すなわち通常状態の乗り心地性の観点から、硬さＨｉは８５以下が好ましく、８０以下がより好ましい。この支持層１４の硬さＨｉは、前述されたクリンチ８の硬さＨｃと同様にして測定される。
【００５６】
このタイヤ２では、支持層１４の損失正接Ｔｉは０．０７以下が好ましい。これにより、タイヤ２が繰り返し変形することによる、支持層１４の発熱が抑えられる。この支持層１４は、タイヤ２の耐久性に寄与する。この観点から、この損失正接Ｔｉは０．０５以下がより好ましく、０．０４以下がより好ましい。損失正接Ｔｉは小さいほど好ましいので、この損失正接Ｔｉの好ましい下限は設定されない。この損失正接Ｔｉは、前述されたクリンチ８の損失正接Ｔｃと同様にして測定される。
【００５７】
ベルト１６は、トレッド４の半径方向内側に位置している。ベルト１６は、カーカス１２と積層されている。ベルト１６は、カーカス１２を補強する。ベルト１６は、内側層４４及び外側層４６からなる。このベルト１６が、３以上の層を備えてもよい。図示されていないが、内側層４４及び外側層４６のそれぞれは、並列された多数のコードとトッピングゴムとからなる。それぞれのコードは、赤道面に対して傾斜している。傾斜角度の一般的な絶対値は、１０°以上３５°以下である。内側層４４のコードの赤道面に対する傾斜方向は、外側層４６のコードの赤道面に対する傾斜方向とは逆である。コードの好ましい材質は、スチールである。コードに、有機繊維が用いられてもよい。
【００５８】
このタイヤ２では、ベルト１６によるカーカス１２の補強の観点から、ベルト１６の軸方向幅はタイヤ２の最大幅の０．６倍以上が好ましい。耐久性への影響の観点から、ベルト１６の軸方向幅はタイヤ２の最大幅の０．９倍以下が好ましい。
【００５９】
バンド１８は、ベルト１６の半径方向外側に位置している。図示されていないが、このバンド１８は、コードとトッピングゴムとからなる。コードは、螺旋状に巻かれている。このバンド１８は、いわゆるジョイントレス構造を有する。コードは、実質的に周方向に延びている。周方向に対するコードの角度は、好ましくは５°以下、さらに好ましくは２°以下である。このコードによりベルト１６が拘束されるので、ベルト１６のリフティングが抑制される。コードは、有機繊維からなる。好ましい有機繊維として、ナイロン繊維、ポリエステル繊維、レーヨン繊維、ポリエチレンナフタレート繊維及びアラミド繊維が例示される。
【００６０】
ベルト１６及びバンド１８は、補強層を構成している。ベルト１６のみから、補強層が構成されてもよい。バンド１８のみから、補強層が構成されてもよい。
【００６１】
インナーライナー２０は、カーカス１２の内側に位置している。トレッド４の半径方向内側において、インナーライナー２０は、カーカス１２の内面に接合されている。サイドウォール６の軸方向内側において、インナーライナー２０は、支持層１４の内面に接合されている。インナーライナー２０は、空気遮蔽性に優れた架橋ゴムからなる。インナーライナー２０の典型的な基材ゴムは、ブチルゴム又はハロゲン化ブチルゴムである。インナーライナー２０は、タイヤ２の内圧を保持する。
【００６２】
それぞれのチェーファー２２は、ビード１０の近傍に位置している。タイヤ２がリムＲに組み込まれると、このチェーファー２２がリムＲと当接する。この当接により、ビード１０の近傍が保護される。この実施形態では、チェーファー２２は、クリンチ８と一体である。したがって、チェーファー２２の材質はクリンチ８の材質と同じである。チェーファー２２が、布とこの布に含浸したゴムとからなってもよい。
【００６３】
それぞれの緩衝層２４は、軸方向においてカーカス１２とクリンチ８との間に位置している。図１から明らかなように、この緩衝層２４は、コア３６の近くからカーカス１２に沿って半径方向略外向きに延在している。
【００６４】
このタイヤ２では、クリンチ８の損失正接Ｔｃ、並びに、エイペックス３８の硬さＨａ及び損失正接Ｔａに対して、次のように整えられた硬さＨｋ及び損失正接Ｔｋを有する架橋ゴムが、緩衝層２４に採用されている。なお、この硬さＨｋは前述されたクリンチ８の硬さＨｃと同様にして測定される。この損失正接Ｔｋは、前述されたクリンチ８の損失正接Ｔｃと同様にして測定される。
【００６５】
このタイヤ２では、緩衝層２４の損失正接Ｔｋはクリンチ８の損失正接Ｔｃ及びエイペックス３８の損失正接Ｔａと同等以下である。この緩衝層２４の硬さＨｋは、エイペックス３８の硬さＨａと同等以上である。この緩衝層２４は、クリンチ８の架橋ゴム及びエイペックス３８の架橋ゴムよりも発熱しにくく、エイペックス３８の架橋ゴムの剛性と同等以上の剛性を有する、架橋ゴムからなる。このタイヤ２では、緩衝層２４は硬質でしかも発熱しにくい。
【００６６】
図２には、図１に示されたタイヤ２のビード１０の部分が示されている。図２において、上下方向がタイヤ２の半径方向であり、左右方向がタイヤ２の軸方向であり、紙面との垂直方向がタイヤ２の周方向である。
【００６７】
図２において、符号Ｐ１はタイヤ２の外面上の特定の位置を表している。このタイヤ２では、ビードベースラインからこの位置Ｐ１までの半径方向高さは１４ｍｍである。この位置Ｐ１は、タイヤ２の外面において、ビードベースラインからの半径方向高さが１４ｍｍとなる位置である。本発明においては、この位置Ｐ１は第一地点と称される。符号Ｐ２は、位置Ｐ１と同様、タイヤ２の外面上の特定の位置を表している。このタイヤ２では、ビードベースラインからこの位置Ｐ２までの半径方向高さは２０ｍｍである。この位置Ｐ２は、タイヤ２の外面において、ビードベースラインからの半径方向高さが２０ｍｍとなる位置である。本発明においては、この位置Ｐ２は第二地点と称される。
【００６８】
本発明においては、第一地点Ｐ１及び第二地点Ｐ２は、タイヤ２をリムＲに組み込み、正規内圧となるようにこのタイヤ２に空気を充填し、このタイヤ２に荷重がかけられない状態で得られるこのタイヤ２の外面をベースとする、プロファイルによって決められる。
【００６９】
図２において、実線Ｌ１は第一地点Ｐ１を通り半径方向に延在する直線である。実線Ｌ２は、第二地点Ｐ２を通り半径方向に延在する直線である。
【００７０】
このタイヤ２では、緩衝層２４は半径方向において第一地点Ｐ１及び第二地点Ｐ２のそれぞれと重複している。この緩衝層２４は、半径方向において、第一地点Ｐ１から第二地点Ｐ２までのゾーンと重複している。この緩衝層２４は、直線Ｌ１と直線Ｌ２との間を架け渡している。
【００７１】
このタイヤ２の製造では、複数のゴム部材がアッセンブリーされて、ローカバー（未加硫タイヤ２）が得られる。このローカバーが、モールドに投入される。ローカバーの外面は、モールドのキャビティ面と当接する。ローカバーの内面は、ブラダー又は中子に当接する。ローカバーは、モールド内で加圧及び加熱される。加圧及び加熱により、ローカバーのゴム組成物が流動する。加熱によりゴムが架橋反応を起こし、タイヤ２が得られる。そのキャビティ面に凸凹模様を有するモールドが用いられることにより、タイヤ２に凹凸模様が形成される。
【００７２】
このタイヤ２は、リムＲに嵌め合わされて使用される。この使用状態においては、タイヤ２のビード１０の部分はリムＲと接触する。これにより、タイヤ２とリムＲとの間には接触面が形成される。
【００７３】
このタイヤ２では、その第一地点Ｐ１から第二地点Ｐ２までのゾーンは、接触面の半径方向外側部分に対応している。この部分よりも半径方向内側では、タイヤ２はリムＲに強固に固定されている。この部分よりも半径方向外側では、タイヤ２はリムＲから解放されている。このため、この部分の近くにおいては、歪みが集中しやすい。タイヤ２がパンクし内圧が低下すると、タイヤ２それ自体が車重を支える。このとき、タイヤ２には大きな荷重が掛けられる。このため、タイヤ２がパンクし内圧が低下した状態で走行する場合においては、つまり、ランフラット走行では、タイヤ２のビード１０の部分には大きな荷重が掛かり歪みが特に集中しやすい傾向にある。
【００７４】
このタイヤ２では、小さなエイペックス３８が採用されている。このタイヤ２では、パンク状態において歪みが集中する領域から外れて、エイペックス３８は配置される。このタイヤ２では、ランフラット走行において、エイペックス３８の変形が効果的に抑えられる。このエイペックス３８は、ビード１０の部分での損傷防止に寄与する。
【００７５】
このタイヤ２では、前述したように、カーカス１２とクリンチ８との間に緩衝層２４が設けられている。
【００７６】
このタイヤ２では、前述したように、緩衝層２４は、半径方向において、第一地点Ｐ１から第二地点Ｐ２までのゾーンと重複している。このタイヤ２では、この緩衝層２４は、このタイヤ２がリムＲに組み合わされた状態において、タイヤ２とリムＲとが接触している部分を覆うように配置されている。このタイヤ２では、ランフラット走行において、特に、歪みが集中しやすい部分に、緩衝層２４が設けられている。この緩衝層２４は硬質でしかも発熱しにくいので、このタイヤ２では、ビード１０の部分での損傷が効果的に抑えられる。
【００７７】
図１において、両矢印ＨＫＳはビードベースラインから緩衝層２４の半径方向外側端４８までの半径方向距離を表している。両矢印ＨＫＵは、ビードベースラインから緩衝層２４の半径方向内側端５０までの半径方向距離を表している。両矢印ＨＢは、ビードベースラインからコア３６の半径方向外側端５２までの半径方向距離を表している。
【００７８】
このタイヤ２では、緩衝層２４の外側端４８はこのタイヤ２の最大幅位置ＰＷよりも半径方向内側に位置している。具体的には、距離ＨＷＸに対する距離ＨＫＳの比率は１００％未満である。これにより、外側端５２への歪みの集中が抑えられ、この緩衝層２４の外側端４８の部分での発熱が効果的に抑えられている。このタイヤ１２は、耐久性に優れる。緩衝層２４のボリュームが適切に維持されるので、この緩衝層２４による質量及び転がり抵抗への影響が抑えられる。この観点から、この比率は９０％以下が好ましく、８５％以下がより好ましい。緩衝層２４がビード１０の部分の剛性に効果的に寄与するとの観点から、この比率は５０％以上が好ましく、５５％以上がより好ましい。
【００７９】
このタイヤ２では、緩衝層２４の外側端４８は半径方向においてクリンチ８の外側端３４の近くに位置している。具体的には、このタイヤ２では、ビードベースラインからクリンチ８の外側端３４までの半径方向距離ＨＣに対する距離ＨＫＳの比率は８５％以上１０５％以下である。この比率が８５％以上に設定されることにより、緩衝層２４のボリュームが十分に確保される。この緩衝層２４は、ビード１０の部分の変形及び発熱の抑制に効果的に寄与する。このタイヤ２では、良好なランフラット走行での耐久性が維持されるとともに、転がり抵抗が効果的に低減される。この比率が１０５％以下に設定されることにより、緩衝層２４がクリンチ８から半径方向に大きく突出することが防止される。このタイヤ２では、緩衝層２４の外側端４８への歪みの集中が抑えられるとともに、緩衝層２４のボリュームが適切に維持される。このタイヤ２では、この緩衝層２４による転がり抵抗及び質量への影響が抑えられるとともに、良好なランフラット走行での耐久性が維持される。
【００８０】
このタイヤ２では、半径方向において、緩衝層２４の内側端５０の位置はコア３６の外側端５２の位置と一致している、又は、この緩衝層２４の内側端５０はコア３６の外側端５２よりも外側に位置している。言い換えれば、距離ＨＢに対する距離ＨＫＵの比率は１００％以上である。このタイヤ２では、軸方向において、緩衝層２４はコア３６と重複していない。コア３６の軸方向外側部分では、カーカス１２以外はクリンチ８で構成される。コア３６とクリンチ８との間に硬質な緩衝層２４が配置されないので、クリンチ８のボリュームが十分に確保される。このタイヤ２では、クリンチ８は摩滅しにくい。このタイヤ２では、走行状態において、リムＲに対するコア３６の位置が安定に保持される。コア３６がリムＲに対して動きにくいので、このタイヤ２では、ビード１０の部分の変形が効果的に抑えられる。発熱が抑えられるので、耐久性の一層の向上が図られる。この観点から、この比率は１０５％以上が好ましい。緩衝層２４の内側端５０がコア３６から半径方向外方に離れると、緩衝層２４のボリュームが小さくなり、この緩衝層２４による発熱抑制効果が薄れる恐れがある。この緩衝層２４による発熱抑制効果の発揮の観点から、この比率は１５０％以下が好ましく、１４５％以下がより好ましい。
【００８１】
以上説明したように、このタイヤ２では、硬質でしかも発熱しにくい緩衝層２４が、歪みが集中する領域を考慮し、適切な位置に適切な大きさで配置されている。硬質な緩衝層２４は、通常走行時はもちろんのこと、パンクによって内圧が低下した状態においても、ビード１０の部分の変形を抑える。このタイヤ２では、ビード１０の部分の変形による発熱が効果的に抑えられる。特にこのタイヤ２では、リムＲとの接触面とカーカス１２との間における発熱が抑えられる。このタイヤ２では、緩衝層２４自体が発熱しにくいので、このビード１０の部分において、発熱がかなり効果的に抑えられる。このタイヤ２では、ビード１０の部分での損傷発生が効果的に抑えられている。
【００８２】
さらにこのタイヤ２では、緩衝層２４は、カーカス１２、特に、第一プライ４０の折り返し部４０ｂを、この緩衝層２４が設けられていない従来のタイヤにおける折り返し部よりも軸方向内側に配置させる。より詳細には、この緩衝層２４の採用により、第一プライ４０の折り返し部４０ｂは、図２に示されているように、直線Ｌ１から直線Ｌ２までの領域において、このタイヤ２のビード１０の部分の略中央に配置される。このタイヤ２では、カーカス１２、詳細には、第一プライ４０の折り返し部４０ｂに、圧縮方向又引張方向の力が作用することが防止される。このカーカス１２には、歪みが集中しにくい。このタイヤ２では、カーカス１２に損傷は生じにくい。このタイヤ２では、ビード１０の部分での損傷発生が効果的に抑えられている。
【００８３】
このタイヤ２では、小さなエイペックス３８を採用するとともに、硬質でしかも発熱しにくい緩衝層２４を適切な位置に適切な大きさで配置させることで、パンクによって内圧が低下した状態での走行、すなわち、ランフラット走行において、ビード１０の部分に損傷が生じることが効果的に抑えられている。このタイヤ２では、パンクによって内圧が低下した状態でも十分な走行距離が確保される。このタイヤ２は、ランフラット走行での耐久性に優れる。
【００８４】
このタイヤ２では、エイペックス３８及び緩衝層２４の相乗的な作用により、ビード１０の部分での損傷発生が抑えられるので、支持層１４のボリュームの低減が可能である。この支持層１４のボリュームの低減は、タイヤ２の軽量化及び転がり抵抗の低減に寄与する。このタイヤ２では、ランフラット走行での耐久性の向上を図りながら、軽量化及び転がり抵抗の低減が達成できる。本発明によれば、ランフラット走行での耐久性の向上を図りながら、軽量化及び転がり抵抗の低減が考慮された空気入りタイヤ２が得られる。
【００８５】
このタイヤ２では、緩衝層２４の発熱性はクリンチ８の発熱性と同程度であるか、この緩衝層２４はクリンチ８よりも発熱しにくい。具体的には、クリンチ８の損失正接Ｔｃと緩衝層２４の損失正接Ｔｋとの差（Ｔｃ−Ｔｋ）は、０．００以上が好ましい。これにより、ビード１０の部分の変形による発熱の抑制に、緩衝層２４が効果的に寄与する。このタイヤ２は、ランフラット走行での耐久性に優れる。この観点から、この差は０．０１以上がより好ましく、０．０２以上がさらに好ましい。損失正接Ｔｋは損失正接Ｔｃに対して小さいほど好ましいので、この差の上限は設定されない。
【００８６】
このタイヤ２では、緩衝層２４の発熱性はエイペックス３８の発熱性と同程度であるか、この緩衝層２４はエイペックス３８よりも発熱しにくい。具体的には、エイペックス３８の損失正接Ｔａと緩衝層２４の損失正接Ｔｋとの差（Ｔａ−Ｔｋ）は、０．００以上が好ましい。これにより、ビード１０の部分の変形による発熱の抑制に、緩衝層２４が効果的に寄与する。このタイヤ２は、ランフラット走行での耐久性に優れる。この観点から、この差はこの差は０．０１以上がより好ましく、０．０２以上がさらに好ましい。損失正接Ｔｋは損失正接Ｔａに対して小さいほど好ましいので、この差の上限は設定されない。
【００８７】
このタイヤ２では、緩衝層２４の損失正接Ｔｋは０．０６以下が好ましい。これにより、ビード１０の部分の変形による発熱の抑制に、緩衝層２４が効果的に寄与する。このタイヤ２は、ランフラット走行での耐久性に優れる。この観点から、この損失正接Ｔｋは０．０５以下がより好ましく、０．０４以下がさらに好ましい。損失正接Ｔｋは小さいほど好ましいので、この損失正接Ｔｋの好ましい下限は設定されない。
【００８８】
このタイヤ２では、好ましくは、緩衝層２４の損失正接Ｔｋは支持層１４の損失正接Ｔｉと同等以下である。言い換えれば、支持層１４の損失正接Ｔｉと緩衝層２４の損失正接Ｔｋとの差（Ｔｉ−Ｔｋ）は０．００以上が好ましい。これにより、緩衝層２４による発熱抑制効果が一層高められる。このタイヤ２は、ランフラット走行での耐久性に一層優れる。この観点から、この差は０．０１以上がより好ましい。損失正接Ｔｋは損失正接Ｔｉに対して小さいほど好ましいので、この差の上限は設定されない。
【００８９】
このタイヤ２では、緩衝層２４の損失正接Ｔｋはクリンチ８の損失正接Ｔｃ及びエイペックス３８の損失正接Ｔａよりも低いのがより好ましい。このタイヤ２では、緩衝層２４の損失正接Ｔｋは支持層１４の損失正接Ｔｉと同等以下であり、クリンチ８の損失正接Ｔｃ及びエイペックス３８の損失正接Ｔａよりも低いのがさらに好ましい。これにより、タイヤ全体の剛性バランスが適切に整えられ、ランフラット走行での耐久性だけでなく、通常走行での操縦安定性及び乗り心地の向上が達成される。
【００９０】
このタイヤ２では、緩衝層２４の剛性はエイペックス３８の剛性と同程度であるか、この緩衝層２４はこのエイペックス３８よりも硬質である。具体的には、この緩衝層２４の硬さＨｋとエイペックス３８の硬さＨａとの差（Ｈｋ−Ｈａ）は０以上が好ましい。これにより、緩衝層２４が、通常走行時はもちろんのこと、ランフラット走行において、ビード１０の部分の変形の抑制に寄与する。このタイヤ２では、ビード１０の部分の損傷が効果的に抑えられる。この観点から、この差は５以上がより好ましい。緩衝層２４とエイペックス３８との剛性差による歪みの集中を防止するとの観点から、この差は２０以下が好ましい。
【００９１】
このタイヤ２では、緩衝層２４の硬さＨｋは６０以上９５以下が好ましい。この硬さＨｋが６０以上に設定されることにより、緩衝層２４が適度な剛性を有する。このタイヤ２では、ビード１０の部分の変形の程度が適切に維持される。この観点から、この硬さＨｋは６５以上がより好ましい。この硬さＨｋが９５以下に設定されることにより、緩衝層２４の剛性が適切に維持される。このタイヤ２では、良好な乗り心地が維持される。この観点から、この硬さＨｋは９０以下がより好ましい。
【００９２】
このタイヤ２では、好ましくは、緩衝層２４の硬さＨｋは、支持層１４の硬さＨｉと同等以上である。言い換えれば、この緩衝層２４の硬さＨｋと支持層１４の硬さＨｉとの差（Ｈｋ−Ｈｉ）は０以上が好ましい。これにより、緩衝層２４が、通常走行時はもちろんのこと、ランフラット走行において、ビード１０の部分の変形の抑制に寄与する。このタイヤ２では、ビード１０の部分の損傷が効果的に抑えられる。この観点から、この差は５以上がより好ましく、１０以上がさらに好ましい。緩衝層２４と支持層１４との剛性差による歪みの集中を防止するとの観点から、この差は３０以下が好ましい。
【００９３】
このタイヤ２では、緩衝層２４の硬さＨｋはエイペックス３８の硬さＨａと同等以上であり、支持層１４の硬さＨｉよりも大きいのがより好ましい。これにより、タイヤ全体の剛性バランスが適切に整えられ、ランフラット走行での耐久性だけでなく、通常走行での操縦安定性及び乗り心地の向上が達成される。
【００９４】
図２において、実線ＬＴはこのタイヤ２の外面の法線である。この法線ＬＴは、第二基準点Ｐ２を通る。本発明においては、この第二基準点Ｐ２における、このタイヤ２の外面の法線ＬＴは、基準法線と称される。
【００９５】
この図２において、両矢印ｔはタイヤ２の外面からカーカス１２までの長さを表している。この長さｔは、第二基準点Ｐ２における、このタイヤ２のカーカス１２の外側部分の厚さである。両矢印ｔｋは、第二基準点Ｐ２における、緩衝層２４の厚さである。両矢印ｔｃは、第二基準点Ｐ２における、クリンチ８の厚さである。厚さｔ、厚さｔｋ及び厚さｔｃは、基準法線ＬＴに沿って計測される。厚さｔは、厚さｔｋ及び厚さｔｃの和（ｔｋ＋ｔｃ）に等しい。この厚さｔは、基準法線ＬＴに沿って計測される、緩衝層２４の厚さｔｋとクリンチ８の厚さｔｃとの合計厚さである。両矢印ｔＬは、この基準法線ＬＴに沿って計測される支持層１４の厚さである。
【００９６】
このタイヤ２では、緩衝層２４の厚さｔｋは１ｍｍ以上が好ましい。この厚さｔｋが１ｍｍ以上に設定されることにより、ビード１０の部分における発熱の抑制に緩衝層２４が効果的に寄与する。この観点から、この厚さｔｋは２ｍｍ以上がより好ましい。この厚さｔｋは６ｍｍ以下が好ましい。この厚さｔｋが６ｍｍ以下に設定されることにより、ビード１０の部分の剛性への緩衝層２４の影響が抑えられる。このタイヤ２では、ビード１０の部分の剛性が適切に維持される。この観点から、この厚さｔｋは５ｍｍ以下がより好ましい。
【００９７】
このタイヤ２では、クリンチ８の厚さｔｃは１ｍｍ以上が好ましい。この厚さｔｃが１ｍｍ以上に設定されることにより、クリンチ８の剛性が適切に維持される。このタイヤ２では、リムＲとの接触によりビード１０の部分が摩滅されるのを、このクリンチ８が効果的に防止する。このタイヤ２は、耐摩耗性に優れる。この観点から、この厚さｔｃは２ｍｍ以上がより好ましい。この厚さｔｃは６ｍｍ以下が好ましい。この厚さｔｃが６ｍｍ以下に設定されることにより、ビード１０の部分の剛性へのクリンチ８の影響が抑えられる。このタイヤ２では、ビード１０の部分の剛性が適切に維持される。この観点から、この厚さｔｃは５ｍｍ以下がより好ましい。
【００９８】
このタイヤ２では、合計厚さｔに対する厚さｔｋの比率は１５％以上８５％以下が好ましい。この比率が１５％以上に設定されることにより、ビード１０の部分における発熱の抑制に緩衝層２４が効果的に寄与する。この比率が８５％以下に設定されることにより、ビード１０の部分の剛性への緩衝層２４の影響が抑えられる。このタイヤ２では、ビード１０の部分の剛性が適切に維持される。
【００９９】
このタイヤ２では、合計厚さｔの、厚さｔＬに対する比率は８０％以上１２０％以下が好ましい。この比率が８０％以上に設定されることにより、カーカス１２の外側部分の厚さと荷重支持層１４の厚さとのバランスが整えられ、カーカス１２に、圧縮方向の力が作用することが防止される。カーカス１２の損傷が防止されるので、このタイヤ２は耐久性に優れる。この比率が１２０％以下に設定されることにより、カーカス１２の外側部分の厚さと支持層１４の厚さとのバランスが整えられ、カーカス１２に、引張方向の力が作用することが防止される。この場合においても、カーカス１２の損傷が防止されるので、このタイヤ２は耐久性に優れる。
【０１００】
このタイヤ２では、緩衝層２４の厚さｔｋ、クリンチ８の厚さｔｃ、及び、支持層１４の厚さｔＬの和（ｔｋ＋ｔｃ＋ｔＬ）は１８ｍｍ未満が好ましい。このタイヤ２では、ビード１０の部分は小さな厚さを有する。このタイヤ２では、軽量化及び転がり抵抗の低減が図られる。この観点から、この和（ｔｋ＋ｔｃ＋ｔＬ）は１７ｍｍ以下がより好ましい。ビード１０の部分の剛性が適切に維持され、ランフラット走行での耐久性の向上が達成されるとの観点から、この和（ｔｋ＋ｔｃ＋ｔＬ）は１０ｍｍ以上が好ましい。
【０１０１】
図２において、両矢印ｔｉは支持層１４の厚さを表している。この厚さｔｉは、位置ＰＷを通り、軸方向に延びる直線に沿って計測される。本発明において、この厚さｔｉはタイヤ２の最大幅位置ＰＷにおける支持層１４の厚さである。
【０１０２】
このタイヤ２では、タイヤ２がパンクしたとき、支持層１４が荷重の支持に寄与するとの観点から、この支持層１４の厚さｔｉは６ｍｍ以上が好ましい。通常状態の乗り心地性の観点から、この支持層１４の厚さｔｉは１５ｍｍ以下が好ましい。
【実施例】
【０１０３】
以下、実施例によって本発明の効果が明らかにされるが、この実施例の記載に基づいて本発明が限定的に解釈されるべきではない。
【０１０４】
［実施例１］
図１−２に示されたタイヤを製作した。このタイヤのサイズは、２４５／４５ＲＦ１９である。この実施例１の諸元は、下記の表１に示された通りである。
【０１０５】
緩衝層は、半径方向において、第一地点Ｐ１から第二地点Ｐ２までのゾーンと重複するように配置されている。このことが、表の第一地点（１４ｍｍ）及び第二地点（２０ｍｍ）の欄に「Ｙ」で表されている。
【０１０６】
この表１における、緩衝層の損失正接Ｔｋ及び硬さＨｋは、７０℃の温度下で計測されている。７０℃の温度下で計測されたクリンチの損失正接Ｔｃは、０．０６であった。７０℃の温度下で計測されたクリンチの硬さＨｃは、７５であった。７０℃の温度下で計測されたエイペックスの損失正接Ｔａは、０．０６であった。７０℃の温度下で計測されたエイペックスの硬さＨａは、８０であった。７０℃の温度下で計測された支持層の損失正接Ｔｉは、０．０４であった。７０℃の温度下で計測された支持層の硬さＨｉは、７０であった。
【０１０７】
［比較例１］
下記の表１に示された損失正接Ｔｋ及び硬さＨｋを有する緩衝層を用い、この緩衝層を第一地点Ｐ１から第二地点Ｐ２までのゾーンよりも軸方向内側に配置させた他は、実施例１と同様にして、比較例１のタイヤを得た。この比較例１では、緩衝層は半径方向において第一地点Ｐ１及び第二地点Ｐ２とは重複していない。このことが、表１の第一地点（１４ｍｍ）及び第二地点（２０ｍｍ）の欄に「Ｎ」で表されている。この比較例１の諸元は、下記の表１に示された通りである。この比較例１では、法線ＬＴはエイペックスとも交差するので、表１の「厚さｔＬ」の欄には、厚さｔＬとエイペックスの厚さとの合計が記載されている。
【０１０８】
［比較例２］
下記の表１に示された損失正接Ｔｋ及び硬さＨｋを有する緩衝層を用い、この緩衝層を第一地点Ｐ１から第二地点Ｐ２までのゾーンよりも軸方向外側に配置させた他は、実施例１と同様にして、比較例２のタイヤを得た。この比較例２においても、比較例１と同様、緩衝層は半径方向において第一地点Ｐ１及び第二地点Ｐ２とは重複していない。このことが、表１の第一地点（１４ｍｍ）及び第二地点（２０ｍｍ）の欄に「Ｎ」で表されている。この比較例２の諸元は、下記の表１に示された通りである。この比較例２においても、前述の比較例１と同様、法線ＬＴはエイペックスとも交差するので、表１の「厚さｔＬ」の欄には、厚さｔＬとエイペックスの厚さとの合計が記載されている。
【０１０９】
［実施例２］
緩衝層の損失正接Ｔｋを変えて、損失正接Ｔｃと損失正接Ｔｋとの差（Ｔｃ−Ｔｋ）、損失正接Ｔａと損失正接Ｔｋとの差（Ｔａ−Ｔｋ）及び損失正接Ｔｉと損失正接Ｔｋとの差（Ｔｉ−Ｔｋ）を下記の表１に示される通りとした他は実施例１と同様にして、実施例２のタイヤを得た。
【０１１０】
［実施例３］
緩衝層の厚さｔｋ及びクリンチの厚さｔｃを下記の表１に示される通りとした他は実施例２と同様にして、実施例３のタイヤを得た。
【０１１１】
［実施例４］
緩衝層の厚さｔｋ、クリンチの厚さｔｃ及び支持層の厚さｔＬを変えて、比率（（ｔｋ＋ｔｃ）／ｔＬ）を下記の表１に示される通りとした他は実施例２と同様にして、実施例４のタイヤを得た。
【０１１２】
［耐久性（ランフラット）］
タイヤをリム（サイズ＝１９×８Ｊ）に組み込み、このタイヤに空気を充填して内圧を１８０ｋＰａとした。このタイヤをドラム式走行試験機に装着し、このタイヤの最大負荷荷重の８０％に相当する縦荷重をタイヤに負荷した。このタイヤの内圧を常圧（計測圧としては、０ｋＰａ）としてパンク状態を再現し、このタイヤを８０ｋｍ／ｈの速度で、半径が１．７ｍであるドラムの上を走行させた。タイヤが破壊するまでの走行距離を、測定した。この結果が、指数として下記の表１に示されている。数値が大きいほどランフラット耐久性に優れ、好ましい。
【０１１３】
［転がり抵抗係数（ＲＲＣ）］
転がり抵抗試験機を用い、下記の測定条件で転がり抵抗係数（ＲＲＣ）を測定した。
使用リム：１９×８Ｊ（アルミニウム合金製）
内圧：２２０ｋＰａ
荷重：４．６ｋＮ
速度：８０ｋｍ／ｈ
この結果が、測定された転がり抵抗係数の逆数に基づいて表された指数で、下記の表１に示されている。数値が大きいほど、転がり抵抗の低減が図られており、好ましい。
【０１１４】
［質量］
タイヤの質量を計測した。この結果が、測定された質量の逆数に基づいて表された指数で、下記の表１に示されている。数値が大きいほど、軽量化が図られており、好ましい。
【０１１５】
【表１】
2018130977.tif 000003
【０１１６】
表１に示されるように、実施例のタイヤでは、比較例のタイヤに比べて評価が高い。この評価結果から、本発明の優位性は明らかである。
【産業上の利用可能性】
【０１１７】
以上説明された緩衝層に関する技術は、種々のタイヤにも適用されうる。
【符号の説明】
【０１１８】
２・・・タイヤ
４・・・トレッド
６・・・サイドウォール
８・・・クリンチ
１０・・・ビード
１２・・・カーカス
１４・・・支持層
２４・・・緩衝層
３４・・・クリンチ８の半径方向外側端
３６・・・コア
３８・・・エイペックス
４０・・・第一プライ
４０ａ・・・主部
４０ｂ・・・折り返し部
４２・・・第二プライ
４２ａ・・・主部
４２ｂ・・・折り返し部
４８・・・緩衝層２４の半径方向外側端
５０・・・緩衝層２４の半径方向内側端
５２・・・コア３６の半径方向外側端
【図１】
2018130977.tif 000004
【図２】
2018130977.tif 000005